(57)【特許請求の範囲】
【請求項１】
装置本体に固定され、搬送されてくる用紙をスタックするスタック手段と、前記スタック手段に配置され、スタックされた用紙の用紙搬送方向と直交する方向の整合を行うように可動する１対のジョガーフェンスを有する整合手段とを備えた用紙処理装置において、
前記スタック手段のスタック面側の筐体側面には、開口部を設け、
前記ジョガーフェンスの所定距離開放時に一方のジョガーフェンスが、前記開口部から進出して前記スタック手段のスタック面側の筐体側面よりも外側に位置するように前記ジョガーフェンスと前記筐体側面との相対位置を設定し、
電源投入時、前記スタック手段においてジャムが発生しているときには、前記一方のジョガーフェンスを前記所定距離開放するように駆動し、前記スタック手段のスタック面側の筐体側面よりも外側で停止させるよう制御する制御手段を有することを特徴とする用紙処理装置。
【請求項２】
前記ジョガーフェンスが用紙の搬送方向と直交する方向の整合を行う第１の規制部と、前記スタック手段にスタックされる用紙の厚さ方向を規制する第２の規制部とを有し、前記第２の規制部のスタック手段の中心側の端部と、この端部と最も近接した前記筐体側面の開口部の端部とが、前記ジョガーフェンスが前記所定距離開放されているときには、オペレータが手を挿入し、用紙を取り出すに足る間隔離間していることを特徴とする請求項１記載の用紙処理装置。
【請求項３】
前記所定距離開放された位置が前記ジョガーフェンスのホームポジションに設定されていることを特徴とする請求項１記載の用紙処理装置。
【請求項４】
前記所定距離開放された位置が前記ジョガーフェンスの最大開放位置または最大開放位置近傍に設定されていることを特徴とする請求項１記載の用紙処理装置。
【請求項５】
電源投入時、前記ジョガーフェンス内に用紙が検出された場合には前記ジョガーフェンスを所定距離開放し、停止させることを特徴とする請求項１から４の何れか１つに記載の用紙処理装置。
【請求項６】
請求項１から５の何れか１つに記載の用紙処理装置を備えたことを特徴とする画像形成装置。
【発明の詳細な説明】
【０００１】
【発明の属する技術分野】
本発明は、複写機、プリンタ、ファクシミリなどの等の画像形成装置に付設され、もしくは一体に併設され、画像形成装置側から搬送されてきた用紙に所定の処理を施して排紙する用紙処理装置およびその用紙処理装置を備えた画像形成装置に関する。
【０００２】
【従来の技術】
画像形成装置に付設され、あるいは併設され、画像形成済みの用紙に対して整合、仕分け、綴じ、穴あけなどの後処理を施す用紙処理装置、いわゆる後処理装置として、用紙を機内に積載し、整合し、綴じ処理等を行うものがある。このような形式の後処理装置では、機内に前記積載、整合、綴じなどの各種機構を内蔵する必要から、機構も複雑なものとなっている。そのため例えばジャムなどが生じると、そのジャム処理操作性がしばしば問題となり、その改善策として用紙を整合する機構全体を筐体内から引き出せるように構成したものが提案されている。
【０００３】
また、本出願人の出願に係る発明として特開平７−１８７４７９号記載のものも公知である。この発明は、何らかの理由で用紙整合部に残された用紙を自動的にトレイ上に排出するようにしたものである。また、機構は詳細には示していないが、用紙の整合、綴じ処理、排出機構を１つのユニット（スティプルユニット）として構成し、ユニットごと引き出せるようにしている。確かにこのように構成することでジョガーフェンス内に収納された用紙の取り除き作業は飛躍的に向上する。
【０００４】
同様に特開平１０−１２９９２１号公報で示されるような構成も提案されている。この構成であれば外装カバーを引き出しユニットと一体としたことで幾ばくかのコスト低減が可能となる。
【０００５】
【発明が解決しようとする課題】
しかし、前記特開平７−１８７４７９号記載のものでは、機械内に残された用紙は大抵不必要なものであり、これを自動的にトレイ上に排出すると混乱を生じるこことなる。また、用紙の整合、綴じ処理、排出機構を１つのユニット（スティプルユニット）として構成しユニットごと引き出せるようにすると、ジョガーフェンス内に収納された用紙の取り除き作業は飛躍的に向上する。しかし、このように構成するにはますます機構が複雑なるばかりでなく大きなコストアップを招くこととなる。
【０００６】
また、特開平１０−１２９９２１号公報記載のものでもユニットを引き出さないタイプに比べれば大きくコスト高になっていることは否めない。
【０００７】
本発明は、このような背景に鑑みてなされたもので、その目的は、ユニットの引き出しを行うことなくジョガーフェンス内の用紙を容易に取り出すことができる低コストな用紙処理装置および画像形成装置を提供することにある。
【０００８】
他の目的は、さらに、ジョガーフェンス内の用紙を取り出す際の操作性を考慮した用紙処理装置および画像形成装置を提供することにある。
【０００９】
【課題を解決するための手段】
前記目的を達成するため、第１の手段は、装置本体に固定され、搬送されてくる用紙をスタックするスタック手段と、前記スタック手段に配置され、スタックされた用紙の用紙搬送方向と直交する方向の整合を行うように可動する１対のジョガーフェンスを有する整合手段とを備えた用紙処理装置において、前記スタック手段のスタック面側の筐体側面には、開口部を設け、前記ジョガーフェンスの所定距離開放時に一方のジョガーフェンスが、前記開口部から進出して前記スタック手段のスタック面側の筐体側面よりも外側に位置するように前記ジョガーフェンスと前記筐体側面との相対位置を設定し、電源投入時、前記スタック手段においてジャムが発生しているときには、前記一方のジョガーフェンスを前記所定距離開放するように駆動し、前記スタック手段のスタック面側の筐体側面よりも外側で停止させるよう制御する制御手段を有することを特徴とする。
【００１０】
この場合、前記スタック手段においてジャムが発生したときには、前記ジョガーフェンスを所定距離開放するようにする。また、前記ジョガーフェンスが用紙の搬送方向と直交する方向の整合を行う第１の規制部と、前記スタック手段にスタックされる用紙の厚さ方向を規制する第２の規制部とを有し、前記第２の規制部のスタック手段の中心側の端部と、この端部と最も近接した前記筐体側面の開口部の端部とが、前記ジョガーフェンスが所定距離開放されているときには、オペレータが手を挿入し、用紙を取り出すに足る間隔離間するように設定する。
【００１１】
このように構成することにより、スタック手段および整合手段を装置本体から引き出さなくとも、筐体の前側板を開放するだけで、ジャム処理が可能となる。その際、ジョガーフェンスの前記端部と筐体側面の開口部の端部の間隔が、手を挿入してスタック手段上に集積された用紙束を容易に取り出すことができるだけ離れていれば、処理がより簡単に行える。
【００１３】
この場合、前記所定距離開放された位置を前記ジョガーフェンスのホームポジションに設定しておくとよい。また、ホームポジションに対応する前記位置を、ジョガーフェンスの最大開放位置または最大開放位置近傍に設定しておくと、ジャム時の用紙処理も簡単に行える。
【００１４】
なお、以下の実施形態では、スタック手段はスティプルトレイ１２１に、整合手段はジョガーフェンス１０９やジョガーモータ１２６などのジョガーフェンスの駆動機構を含むジョガーに、筐体側面は前側板１５３にそれぞれ対応している。
【００１５】
【発明の実施の形態】
以下、図面を参照し、本発明の実施形態について説明する。
【００１６】
図１は用紙がスティプルトレイ上でジョガーにより整合動作が行われるときのジョガーフェンスの位置を示す要部斜視図、図２は用紙を取り出すときのジョガーフェンスを最大限外側に移動させたときの位置を示す要部斜視部である。用紙処理装置としての後処理装置１は、図３の概略側面図に示すように画像形成装置としての複写機本体２との給紙口１０１を介して接続されている。前記給紙口１０１に続く搬送路には、入口センサ１３６、入口ローラ対１１５、および分岐爪１０８が設けられ、この分岐爪１０８により排紙トレイ１１２方向にいく用紙と、スティプル装置１１１方向へといく用紙とが分けられる。排紙トレイ１１２方向の搬送路には上搬送ローラ１０２、排出センサ１３８、排出ローラ１０３、寄せローラ１０７、紙面レバー１１３、紙面センサ１３３などが配置され、スティプル装置１１１方向の搬送路には、下搬送ローラ対１０４、排紙センサ１３７、紙送りローラ（ブラシローラ）１０６等が配置されている。
【００１７】
下搬送ローラ対１０４は後述する搬送モータ５４により駆動され、排紙トレイ１１２は後述する上下モータ５１、シフトモータ５２により上下左右の移動が可能となっている。
【００１８】
スティプル装置（以下、「スティプラ」とも称する。）１１１は図１、図２および図６にも示すようにスティプルトレイ１２１の下側に設けられ、スティプルトレイ１２１には、用紙の整合を行うためのジョガーフェンス１０９、及び戻しローラ１０５、ジョガーフェンス１０９の背後位置に綴じた用紙束を排出するための放出ベルト１１０がそれぞれ配置されている。
【００１９】
ジョガーフェンス１０９は、図４に示すように正逆転可能なジョガーモータ１２６によりジョガーベルト１４９を介して矢印方向に往復駆動される。戻しローラ１０５は叩きソレノイ１３０により用紙面に対して接離するように揺動可能に支持されている。また、１４７は下搬送ローラ対１０４および紙送りローラ１０６対の各一方のローラに搬送モータ５４（図９）の駆動力を伝達する駆動ベルトである。また、ジョガーフェンス１０９の下側には、図５に示すように、用紙後端部（搬送方向に対して）側を突き当てるための後端フェンス１１９が設けられている。この後端フェンス１１９は、図６に示すように、中央のフェンス１１９ｃに対して左右に一対、すなわち１１９ａ，１１９ｂのように別体に各々がスティプラ１１１と係合して移動するように設けられている。なお、この後端フェンス１１９は用紙揃えの際に用紙がスタックされるスティプルトレイ１２１の下端に設けられ、この後端フェンス１１９に用紙の下部の辺を線的に当接させることにより用紙の搬送方向の位置を揃えるようになっている。排紙センサ１３７は、用紙後端を検知して即、戻しソレノイド１３０にオン命令を出して戻しローラ１０５が作動しても、戻しローラ１０５が用紙の後端に打ち当て可能な位置に配置されている。
【００２０】
スティプルトレイ１２１は図１および図２に示すように後処理装置本体１に固定され、ジョガーフェンス１０９は２本の軸１５１，１５２に沿って往復動するようになっている。ジョガーフェンス１０９は図１および図２に示すように最大限開いた位置（図１）、用紙を整合する位置（図２、およびホームポジションの３位置を移動する。なお、ホームポジションは最大限開いた位置近傍に設定されている。また、最大限開いた位置は、ジョガーフェンス１０９が後処理装置１のスティプルトレイ１２１の用紙載置面側の前側板１５３から手前側（操作側−前側）に進出し、開口部１５４から用紙を取り出すときに邪魔にならないだけの間隔Ｌが確保されるように意図されている。なお、ジョガーフェンス１０９は、用紙の搬送方向と直交する方向の整合を行う第１の規制部１０９ａと、前記スティプルトレイ（スタック手段）１２１にスタックされる用紙の厚さ方向を規制する第２の規制部１０９ｂとを有し、前記間隔Ｌは、さらに詳細には、前記第２の規制部１０９ｂの内側（スティプルトレイ１２１の中心側）の端部１０９ｃと、この端部１０９ｃと最も近接した開口部１５４の端部１５４ａとの間の距離である。
【００２１】
スティプル装置１１１は、図６に示すように、正逆転可能なスティプラ移動モータ１２７の駆動によりスティプルベルト１５０を介して矢印方向（用紙の搬送方向に直交する方向）に移動して、手前綴じ、奥綴じ、２個所綴じなどの綴じ動作を行う。また、図６において、１２２はスティプラ装置１１１のホームポジションを検出するホームポジションセンサである。
【００２２】
放出ベルト１１０は、図７に示すように、正逆転可能な放出モータ１５７により用紙搬送方向に平行な方向に移動し、用紙束の放出時には矢印Ｕ方向に、用紙搬送方向の揃え動作時には矢印Ｄ方向に駆動される。用紙搬送方向の揃え動作時には、前述の戻しコロ１０５による揃え動作、言い換えれば、後端フェンス１１９への揃え動作のほかに、用紙サイズが同一の場合には、放出ベルト１１０を逆転させ、放出爪１００ａの背面（下端面）１００ｂを用紙の搬送方向先端部に当接させて後端フェンス１１９に用紙の搬送方向後端部を押し当て、用紙揃えを行う。重ね合わせ搬送を行った場合には、１枚目の用紙には前記戻しコロ１０５を当接させることができないので、この放出爪１００ａによる用紙揃えが必須である。
【００２３】
次に、この装置に内蔵されるマイクロコンピュータの回路構成について説明する。図１０のように装置本体のコントロールパネル（図示しない）の各スイッチ、及び各センサからの信号がＩ／Ｏインターフェース６０を介してＣＰＵ７０へ入力される。ＣＰＵ７０は、入力された信号に応じて、上下モータ５１、シフトモータ５２、分岐ソレノイド５３、戻しソレノイド３０、搬送モータ５４、排紙モータ５５、スティプルモータ１５６、放出モータ１５７、スティプラ移動モータ１２７、ジョガーモータ１２６、およびパンチモータ１０１を駆動させる。搬送モータ５４のパルス信号はＣＰＵ７０に入力せれてカウントされ、このカウントに応じて戻しソレノイド３０が制御される。整合制御手段は、ＣＰＵ７０，及びＣＰＵ７０を動かす種々のオペレーションプログラムによって構成される。なお、後述の図１１の処理もこのプログラムの１つに基づいて行われる。
【００２４】
上記構成において、先ず、スティプルを行わないノンスティプルモードが選択された場合の動作について説明する。
【００２５】
コピー済みの用紙が入口ローラ１０８により受け入れられ、上搬送ローラ１０２で送られ排出ローラ１０３により排出される。寄せローラ１０７により用紙の縦方向（搬送方向）の整合動作が実行され、排紙トレイ１１２にスタックされる。この時、寄せローラ１０７は、排出センサ１０３が用紙後端を検知すると減速され、スタック性を向上させる。また、順次コピー済みの用紙が排出されていくと、紙面レバー１１３と紙面センサ１３３とが積層高さを検知し、この検知結果に応じて上下モータ５１を駆動し、排出トレイ１２１上の用紙の高さを所定高さに保持する。また、ソート及びスタックモード時には、装置本体の制御基板などから出される仕切信号により、排出トレイ１１２をシフトモータ５２により、シフトを行い、ジョブ終了まで仕分けを行う。シフト動作は図８に示すようにシフトモータ５２により駆動される円筒カム１２４とカムフォロワ１２３ａとによりエンドフェンス１２３をスライドさせることで行われる。停止位置はシフトセンサ１３５により検出される。また、ジョブ終了時には、排出トレイ１１２を３０ミリ程度下降させる。
【００２６】
次に、スティプルモードが選択された場合について説明する。スティプルモードが選択されると、図４に示すように、ジョガーフェンス１０９はホームポジションから移動し、用紙幅より片側７ミリ離れた位置で待機する。用紙が下搬送ローラ１０４（搬送モータ５４で駆動される）によって搬送され、用紙後端が排紙センサ１３７位置を通過すると、ジョガーフェンス１０９が待機位置から５ミリ内側にジョギング（矢印方向の往復運動）を行う。また、排紙センサ１３７は用紙後端通過時点にそれを検知し、その信号をＣＰＵ７０に入力し、ＣＰＵ７０ではこの信号の受信時点から搬送モータ５４の発信パルスをカウントし、所定パルス発信後に戻しソレノイド３０をオンさせる。戻しローラ１０５は戻しソレノイド３０のオン・オフにより振子運動し、オン時には用紙をたたいて下方向に戻し、後端フェンス１１９に突き当てて用紙の縦揃えを行う。この時、スティプルトレイ１２１に収納されている用紙が入口センサ１３６（あるいは排紙センサ１３７）を通過するたびにその信号がＣＰＵ７０に入力され、用紙の枚数がカウントされる。
【００２７】
この戻しソレノイド３０がオフされて所定時間経過後、ジョガーフェンス１０９はジョガーモータ１２６によって２．６ミリ内側に移動して一旦停止し、横揃えが終了する。ジョガーフェンス１０９はその後７．６ミリ戻り、次の用紙を待つ。この動作を最終頁まで行う。最終頁では、再び７．６ミリのジョギングを行い、用紙束の両端をおさえて、スティプル動作に備える。そのご所定時間後にスティプル装置１１１が作動し、綴じ処理が行われる。この時、複数綴じが指定されていれば、１ヶ所の綴じ処理が終了した後、スティプル移動モータ１２７が駆動されスティプル装置１１１が用紙後端に沿って適正位置まで移動して２ヶ所目の綴じ処理が行われる。
【００２８】
綴じ処理が終了すると、放出モータ１５７が駆動され、放出ベルト１１０を駆動する。このとき排紙モータ５５も駆動され、放出爪１１０ａにより持ち上げられた用紙束を受け取るべく回転しはじめる。このときジョガーフェンス１０９はサイズ及び綴じ枚数により動作が異なるように制御される。例えば、綴じ枚数が設定枚数より少ない、あるいは設定サイズより小さい場合には、ジョガーフェンス１０９により用紙束を押さえながら放出爪１１０ａにより用紙束後端を引っ掛け搬送する。そして放出ベルトホームセンサより所定パルス後にジョガーフェンス１０９を２．６ミリ待避させ、ジョガーフェンス１０９による用紙への拘束を解除する。この所定パルスは放出爪１１０ａが用紙束後端に衝突してからジョガーフェンス１０９の先端を抜ける間で設定されている。また、綴じ枚数が設定枚数より多い、あるいは設定サイズより大きい場合には、あらかじめ、ジョガーフェンス１０９を２．６ミリ待避させ放出を行う。いずれの場合も用紙束がジョガーフェンス１０９を抜けきると、ジョガーフェンス１０９は、更に５ミリ移動して待機位置に復帰し、次の用紙に備える。なお、用紙に対するジョガーフェンス９の距離により拘束力を調節することも可能である。以上の１連の動作をラストジョブまでくり返し行う。
【００２９】
トレイ１１２は図９に示すように上下リフトベルト１４８により吊るされている。上下リフトベルト１４８はギヤ列及びタイミングベルトを介して上下モータ５１により駆動され、上下モータ５１の正転または逆転により上昇または下降する。トレイ１１２のホームポジション（ＨＰ）および移動時の高さは、上下方向に回動可能なレバー１１３と紙面センサ１３３により検出され、また、トレイ１１２上が用紙で満杯になると図示しない下限センサにより検出される。さらに、トレイ１１２の上昇時に寄せコロ１０７がトレイ１１２により押し上げられると上限スイッチ３１がオフになり、上限モータ２３が回転を停止する事によりトレイ１１２のオーバランによる破損を防止している。
【００３０】
図１１は、スティプルトレイチェックの処理手順を示すフローチャートである。この処理では、電源ＯＮした時に、スティプルトレイ１２１部の状態をチェックし、用紙がスティプルトレイ１２１に存在していた場合には、ジョガーフェンス１０９を広げ、スティプルトレイ１２１内の用紙を手で取り出すことができるようにしている。なお、スティプルトレイ１２１内の紙有無チェックは、ステープル部の紙有無センサ１３９で行われ、以下、この処理について述べる。
【００３１】
この処理では、まず、ステップ１で  電源ＯＮフラグ（図では、電源ＯＮ  Ｆと記している）をチェックする。電源ＯＮフラグがセットされていないとき、言い換えれば、Ｆ＝１でないときはリターンし、電源ＯＮフラグがセットされていればステップ２で電源ＯＮフラグをリセット（“０”）する。電源ＯＮフラグは図示しない一般的な電源をＯＮしたときに、ＣＰＵ７０の初期セット後のメインルーチンに入る前にセットされる。ステップ２で電源ＯＮフラグをリセットした後、ステップ３で紙有無センサ１３９の状態をチェックする。このチェックで、紙有無センサ１３９がＯＮしていなければリターンし、紙有無センサ１３９がＯＮしていればステップ４でジョガー移動のサブルーチンをＣＡＬＬする。このサブルーチンをＣＡＬＬすることにより、スティプルトレイ１２１部のジョガーフェンス１０９が広げられる。ジョガーフェンス１０９は前述のようにジョガーモータ２６により駆動され、対向するジョガーフェンス１０９が互いに離間する方向に移動する。このときジョガーフェンス１０９を広げる距離は所定距離、例えば用紙を取り除くために手でつかむ際に十分な距離移動するように設定しても、前述のホームポジションセンサ１２２位置まで戻してもよい。なお、このホームポジションセンサ１２２はジョガーが最大限広がる位置もしくはその近傍に設けられている。いずれにしても、スティプルトレイ１２１およびスティプラ１１１をユニット化し引き出せる構成にすることなく十分なジャム取りスペースを確保できる。
【００３２】
すなわち、従来の構成でユニット引き出しを廃止した場合、ジャガーフェンス１０６そのものが開口部１５４をふさぐ結果となってしまうが、この実施形態のようにジョガーフェンス１０９を開口部１５４を構成する筐体から十分に手前側（操作側）に退避させることで機械幅を広げることなく開口部を広げることが可能となる。これにより従来の引き出し方式に対し操作性を損なうことなくかなりなコストダウンが可能となる。
【００３３】
また、スティプルモード実行中にスティプルモードを中止した場合や、ジャム処理が完全に行われないままに電源が切られてしまった場合には、用紙が残紙として機内に取り残されることがしばしばある。この場合、次に電源を投入した時にこれらの用紙を取り除く必要があるが、このようにジョガーフェンス１０９を退避させておけば用紙を取り除き易いばかりでなく、用紙が残っていることがジョガーフェンス１０９の位置を見ただけで理解することができ、ユーザを惑わせることがなくなる。
【００３４】
さらに、ジョガーフェンス１０９をホームポジションまで退避させるということは、ほぼ最大限まで開口した状態となっており、さらに取り出し性が向上するだけでなく、次ジョブのスタートを速やかに実行させることにつながり、効率のよい処理が可能となる。
【００３５】
【発明の効果】
以上のように請求項１記載の発明によれば、ジョガーフェンスの最大開放時に一方のジョガーフェンスが、筐体側面の開口部から進出してスタック手段のスタック面側の筐体側面よりも外側に位置するように前記ジョガーフェンスと前記筐体側面との相対位置を設定したので、装置本体に固定されたスタック手段を備えた用紙処理装置においても、スタック手段を引き出す機構を設けることなく、スタック手段に存在する用紙の取り出しが可能となり、これによってジャム処理が容易に行える。また、スタック手段を引き出す機構を設ける必要がないので、その分、機構が簡単となり、低コスト化を図ることができる。また、スタック手段においてジャムが発生したときには、ジョガーフェンスを所定距離開放するように駆動し、前記スタック手段のスタック面側の筐体側面よりも外側で停止させるよう制御するので、その開放されたジョガーフェンスから用紙を取り出すことができるように構成でき、機構の簡素化を図ることができる。
【００３７】
請求項２記載の発明によれば、ジョガーフェンスが用紙の搬送方向と直交する方向の整合を行う第１の規制部と、スタック手段にスタックされる用紙の厚さ方向を規制する第２の規制部とを有し、前記第２の規制部のスタック手段の中心側の端部と、この端部と最も近接した前記筐体側面の開口部の端部とが、前記ジョガーフェンスが所定距離開放されているときには、オペレータが手を挿入し、用紙を取り出すに足る間隔離間しているので、手で容易に用紙を取り出すことができ、ジャム処理を容易かつ確実に行える。
【００３９】
請求項３記載の発明によれば、所定距離開放された位置がジョガーフェンスのホームポジションに設定されているので、取り出し性が向上するだけでなく、次ジョブのスタートを速やかに実行させることができる。
【００４０】
請求項４記載の発明によれば、所定距離開放された位置がジョガーフェンスの最大開放位置または最大開放位置近傍に設定されているので、取り出し性がさらに向上する。
請求項５記載の発明によれば、電源投入時、ジョガーフェンス内に用紙が検出された場合にはジョガーフェンスを所定距離開放し、停止させるので、用紙が残っていることがジョガーフェンスの位置を見ただけで理解することができ、ユーザを惑わせることがなくなるとともに、用紙を取り除くことも容易に行える。
請求項６記載の発明によれば、請求項１ないし５記載の発明による作用効果を奏する画像形成装置を提供することができる。
【図面の簡単な説明】
【図１】本発明の実施形態に係る用紙処理装置のジョガーフェンスが装置の前側板から出ている用紙取り出し位置を示す要部斜視図である。
【図２】本発明の実施形態に係る用紙処理装置のジョガーフェンスが装置の前側板よりも内側に位置したジョギング時の状態を示す要部斜視図である。
【図３】本発明の一実施形態に係る用紙処理装置の概略構成を示す図である。
【図４】スティプルトレイ部の斜視図である。
【図５】用紙後端部（搬送方向に対して）側を突き当てるための後端フェンスの拡大図である。
【図６】スティプル装置近傍の構成を示す斜視図である。
【図７】用紙束の排出状態を示す斜視図である。
【図８】トレイのシフト機構を示す図である。
【図９】トレイの昇降機構を示す図である。
【図１０】制御系を示すブロック図である。
【図１１】スティプルトレイチェックの処理手順を示すフローチャートである。
【符号の説明】
１  後処理装置
２  複写機本体（画像形成装置）
７０  ＣＰＵ
１０９  ジョガーフェンス
１０９ａ  第１の規制部
１０９ｂ  第２の規制部
１０９ｃ  端部
１１０  放出ベルト
１１１  スティプル装置
１２１  スティプルトレイ
１２６  ジョガーモータ
１２７  スティプラ移動モータ
１３９  紙有無センサ
１４９  ジョガーベルト
１５０  スティプルベルト
１５３  前側板
１５４  開口部
１５４ａ  端部
【図１】
0004047520.tif 000002
【図２】
0004047520.tif 000003
【図３】
0004047520.tif 000004
【図４】
0004047520.tif 000005
【図５】
0004047520.tif 000006
【図６】
0004047520.tif 000007
【図７】
0004047520.tif 000008
【図８】
0004047520.tif 000009
【図９】
0004047520.tif 000010
【図１０】
0004047520.tif 000011
【図１１】
0004047520.tif 000012